(57)【要約】【課題】外側の転輪を取り外すものでありながら、転輪支軸の軸受部に注油するグリース溜め部を有した蓋板に外側転輪を取り付けるようにすることで、外側転輪を取り外しても蓋板は取り付けたままとし、グリースの漏出を防止すること。【解決手段】本発明は、クローラの巻回域の上辺部を転動支持する上部転輪（１３）であって、支軸（１４）に軸受保持された筒体（１６）の側端部に、蓋板（１９）に一体形成されたグリース溜め部となるハブ（１８）を嵌合し、前記蓋板（１９）と前記筒体（１６）の側端部の一部と外側転輪（１３ａ）を締付具（２３）で着脱自在に締付固定したことを特徴とする上部転輪である。【選択図】図２
2019055657.tif 000002
【特許請求の範囲】
【請求項１】
クローラの巻回域の上辺部を転動支持する上部転輪（１３）であって、支軸（１４）に軸受保持された筒体（１６）の側端部に、蓋板（１９）に一体形成されたグリース溜め部となるハブ（１８）を嵌合し、前記蓋板（１９）と前記筒体（１６）の側端部の一部と外側転輪（１３ａ）を締付具（２３）で着脱自在に締付固定したことを特徴とする上部転輪。
【請求項２】
前記ハブ（１８）内に注入するグリースニップル（２０）は、前記外側転輪（１３ａ）の外側端部よりも内側の空間内に配置してある請求項１記載の上部転輪。
【発明の詳細な説明】
【技術分野】
【０００１】
この発明は、コンバイン等に用いる走行クローラの上部転輪に関する。
【背景技術】
【０００２】
従来、クローラの上部転輪は、転輪の支軸を左右二つに分割し、クローラを取り外すときには、外側の転輪を支軸部から取り外せるようになっている。（例えば、特許文献１参照）。
【先行技術文献】
【特許文献】
【０００３】
【特許文献１】特開平９−９９８７４号公報
【発明の概要】
【発明が解決しようとする課題】
【０００４】
しかしながら、上記従来のクローラの構造では、外側の転輪を取り外した場合、グリースが漏出するという問題がある。
【０００５】
本発明は、外側の転輪を取り外すものでありながら、外側転輪を取り外しても、グリースの漏出を防止できるものとすることを目的とする。
【課題を解決するための手段】
【０００６】
この発明は、上記課題を解決すべく次のような技術的手段を講じた。
【０００７】
すなわち、請求項１記載の発明は、クローラの巻回域の上辺部を転動支持する上部転輪（１３）であって、支軸（１４）に軸受保持された筒体（１６）の側端部に、蓋板（１９）に一体形成されたグリース溜め部となるハブ（１８）を嵌合し、前記蓋板（１９）と前記筒体（１６）の側端部の一部と外側転輪（１３ａ）を締付具（２３）で着脱自在に締付固定したことを特徴とする上部転輪である。
【０００８】
請求項２記載の発明は、前記ハブ（１８）内に注入するグリースニップル（２０）は、前記外側転輪（１３ａ）の外側端部よりも内側の空間内に配置してある請求項１記載の上部転輪である。
【発明の効果】
【０００９】
請求項１記載の発明によれば、外側転輪１３ａが取り外せることで、クローラの交換が簡単に行え、また、外側転輪１３ａを取り外しても、蓋板１９は外れないため、グリース溜め部は常時閉鎖状態にあり、外部にこぼれ落ちることがない。
【００１０】
請求項２記載の発明によれば、請求項１記載の発明の効果に加えて、グリースニップル２０は、外側転輪１３ａの外側端部より内側の空間内にあるので、グリープニップル２０が障害物に接触して損傷したり、キャップが外れたりする虞が少なくなる。
【図面の簡単な説明】
【００１１】
【図１】コンバインの側面図
【図２】上部転輪の正断面図
【図３】同上要部の側面図
【図４】別実施例の上部転輪の正面図
【図５】燃料タンクを搭載する走行フレーム構造の側面図
【図６】同上要部の平面図
【図７】燃料タンクカバーの側面図
【図８】燃料タンクカバーの底面図
【図９】グレンタンクのオーガ排出を手動操作で行う操作連動機構図
【図１０】同上一部の側面図
【図１１】フローチャート
【図１２】フローチャート
【発明を実施するための形態】
【００１２】
この発明の実施例を図面に基づき説明する。
【００１３】
図１は、圃場に立毛する茎稈を自走しながら刈り取って脱穀する自脱型コンバインを示すものであり、下部に左右一対の走行クローラ２，２を備えた車体１の前側には、分草具３で分草された穀稈を引起し装置で引き起こして刈刃装置４で刈り取り、搬送装置５により後方上方に挟持搬送する刈取部６と、挟持搬送された刈取穀稈をフィードチェン７に受け渡し、フィードチェン７により扱室内に供給された穀稈を脱穀する脱穀部８を備えている。
【００１４】
刈取部６の横側には運転席などを有するキャビン９、その後方には脱穀粒を一時的に貯留するグレンタンク１０、貯留された穀粒を機外に排出する排出オーガ１１を備えている。
【００１５】
走行クローラ２の上側経路（上辺部）を案内する上部転輪１３において、図２及び図３に示すように、上部転輪１３は、クローラフレームに軸支された支軸１４回りにベアリング１５によって軸受された筒体１６を主体として構成されている。
【００１６】
外側転輪１３ａは、上部転輪１３の主体である筒体１６から取り外せるように、この筒体１６に対して分割されており、筒体１６は締付ネジ１７によって支軸１４に締付保持されている。
【００１７】
筒体１６の外側端部には、蓋板１９に一体形成されたグリース溜め部となる短尺の筒状のハブ１８が嵌合され、蓋板１９に設けたグリースニップル２０からグリースを注入する構成としている。
【００１８】
蓋板１９の外周縁と筒体１６の側端部のフランジ部の外周縁には、３つの放射方向に３箇所の取付部１９ａが形成され、この取付部１９ａの孔２１，２１と外側転輪１３ａに設けられた孔２２にボルト等の締付具２３を通して三者を一体的に締付固定する構成としている。
【００１９】
そして、締付具２３を抜いて外側転輪１３ａの取付状態を解除し、外側転輪１３ａを回転させて、両者の取付位相をＮ線の位置までずらせると（図３参照）、外側転輪１３ａを簡単に取り外すことができるようになっている。
【００２０】
なお、ハブ１８は、軸受部のメンテなどを行う場合には、蓋板１９と共に取り外せる。
【００２１】
グリースニップル２０は、外側転輪１３ａの外側端より内側の空間内に配置している。
【００２２】
図４に示す実施例は、上部転輪の軸受外周部をネジ部２５に形成し、外側転輪１３ａを螺合することで、着脱する構成を示す。
【００２３】
図５及び図６に示す実施例では、走行フレーム２６の後方に燃料タンク２７を配置するものにおいて、走行横フレーム２８と燃料タンク２６を前後方向に挟むように横リヤフレーム２９を設けている。燃料タンクを載せる前後方向の左右２本の中フレーム３０ａ，３０ｂは、外側の縦フレーム３１Ｌ、３１Ｒより下方に低く構成されている。走行横フレーム２８とリヤ横フレーム２９の下方には下方に膨出した燃料タンクカバー３２を設置している。
【００２４】
燃料タンクカバー３２には、走行横フレーム２８とリヤ横フレームとに取付けるためのボルト穴３３が設けられている。また、該カバー３２には、燃料タンクのドレン下部に対応してドレン開口部３４が設けられている。
【００２５】
タンクカバー３２は、燃料タンク２７の下部形状をオフセットした形状とすることで、隙間が一定で熱の影響等の偏りをなくすことができる。また、そのカバー３２の最下部は走行フレームの下方フレームの最下部よりも上位にあるようにすることで、カバーより先に走行フレームが負荷を受けることで、カバーへの負荷軽減を図ることができる。
【００２６】
次に示す実施例は、図９及び図１０に示すように、グレンタンクのオーガ排出を手動操作で行う緊急排出において、６角棒ハンドル３６をテンションプーリ３７付テンションアーム３８に一体化する構成とし、工具を用いて下方に押し下げると、テンションアーム３８がエンジンから駆動される駆動ベルト３９を張る方向に動き、駆動プーリ４０、伝動機構４１を介してオーガ排出伝達を行うように構成している。
【００２７】
６角棒ハンドル３６は、走行フレーム部材４２の外側まで延出することで、操作を行い易くしている。
【００２８】
グレンタンク下側の泥除けカバー４３に切欠き部４４を設けることで。テンションアーム３８を動かすスペースを確保している。
【００２９】
別実施例におけるコンバインの大気圧補正制御において、図１１のフローチャートでも示す通り、コンバインにて作業を行う場合に、大気圧が低下すると、大気圧によって黒煙濃度が変化するため、グレンタンク籾重量によってＨＳＴの速度制御を補正することによって環境変化による黒煙濃度を低減すると共に、燃費の良い作業を行うことができる。要するに、大気圧が低下すると、スモーク濃度が悪化し作業時の燃費も悪くなる。従って、大気圧状態に応じて、グレンタンクの籾重量により、ＨＳＴの速度制限補正することで、スモーク濃度及び燃費を向上することができる。
【００３０】
また、ディーゼル機関を搭載した尿素水噴射装置付コンバイン用エンジンにおいて、旋回開始時及び刈脱作業での回転低下開始時に応答遅れがないように尿素水を噴射する制御を行う（図１２のフローチャート参照）。
【００３１】
コンバインの刈取作業時、脱穀回転が低下した場合、及び旋回開始時には、ＮＯＸ濃度が急激に高くなる。本例の場合、コンバインの刈取作業時脱穀回転数が急激に低下した場合及び旋回開始時に応答遅れなく、ＮＯＸ濃度を低減することができる。
【符号の説明】
【００３２】
１３    上部転輪
１３ａ  外側転輪
１４    支軸
１６    筒体
１８    ハブ
１９    蓋板
２０    グリースニップル
２３    締付具
【図１】
2019055657.tif 000003
【図２】
2019055657.tif 000004
【図３】
2019055657.tif 000005
【図４】
2019055657.tif 000006
【図５】
2019055657.tif 000007
【図６】
2019055657.tif 000008
【図７】
2019055657.tif 000009
【図８】
2019055657.tif 000010
【図９】
2019055657.tif 000011
【図１０】
2019055657.tif 000012
【図１１】
2019055657.tif 000013
【図１２】
2019055657.tif 000014